(57)【要約】      （修正有）【課題】加熱によりホルムアルデヒドの揮発が促進される利点を有し、使用に便利であり、実用性を高める空気浄化器を備える高効率ホルムアルデヒド除去装置を提供する。【解決手段】空気浄化器を備える高効率ホルムアルデヒド除去装置であって、空気浄化器本体１の前面および背面にはそれぞれ接続プレート２が設けられ、接続プレートの空気浄化器本体から離れた側にヒータ３が固定的に接続され、接続プレートの空気浄化器本体に近い側の頂部と底部にそれぞれ締付板が固定的に接続され、締付板の空気浄化器本体に近い側は空気浄化器本体の内部まで貫通する。空気浄化器本体、接続プレート、ヒータ、締付板、ボルト５、締付ブロックを組み合わせて使用することで、室内のホルムアルデヒドを迅速に除去できる。【選択図】図１
0003231843.tif 000002
【実用新案登録請求の範囲】
【請求項１】
空気浄化器本体（１）を備える高効率ホルムアルデヒド除去装置であって、前記空気浄化器本体（１）の前面および背面にそれぞれ接続プレート（２）が設けられ、前記接続プレート（２）の空気浄化器本体（１）から離れた側にヒータ（３）が固定的に接続され、前記接続プレート（２）の空気浄化器本体（１）に近い側の頂部と底部にそれぞれ締付板（４）が固定的に接続され、前記締付板（４）の空気浄化器本体（１）に近い側は空気浄化器本体（１）の内部まで貫通し、前記空気浄化器本体（１）の右前側およびと後側の頂部と底部にそれぞれボルト（５）が設けられ、前記ボルト（５）の左側は空気浄化器本体（１）の内部まで貫通し、前記ボルト（５）の左側に締付ブロック（６）が固定的に接続されることを特徴とする高効率ホルムアルデヒド除去装置。
【請求項２】
前記ボルト（５）の表面にガスケット（７）が嵌設され、前記ボルト（５）の表面にガスケット（７）の左側に位置するシールリング（８）が嵌設され、前記シールリング（８）の左側は空気浄化器本体（１）の右側に固定的に接続され、前記シールリング（８）の右側はガスケット（７）の左側に接触することを特徴とする請求項１に記載の高効率ホルムアルデヒド除去装置。
【請求項３】
前記締付板（４）の表面に締付パッド（９）が嵌設され、前記締付パッド（９）の空気浄化器から離れた側は接続プレート（２）の表面に固定的に接続され、前記空気浄化器本体（１）の前面および背面の底部にそれぞれ支持板（１０）が固定的に接続され、前記支持板（１０）の頂部は接続プレート（２）の底部に摺動可能に接続されることを特徴とする請求項１に記載の高効率ホルムアルデヒド除去装置。
【請求項４】
前記空気浄化器本体（１）の右前側および後側の頂部と底部にそれぞれボルト（５）にフィットしたねじ溝（１１）が設けられ、前記ねじ溝（１１）の内壁はボルト（５）の表面にねじ接続されることを特徴とする請求項１に記載の高効率ホルムアルデヒド除去装置。
【請求項５】
前記締付ブロック（６）の左側に保護パッド（１２）が固定的に接続され、前記保護パッド（１２）の左側は締付板（４）の右側に接触し、前記保護パッド（１２）の左側に滑り止めパターン（１３）が設けられることを特徴とする請求項１に記載の高効率ホルムアルデヒド除去装置。
【請求項６】
前記接続プレート（２）の空気浄化器に近い側の頂部と底部にそれぞれガイドプレート（１４）が固定的に接続され、前記空気浄化器本体（１）の前面および背面の頂部と底部にそれぞれガイドプレート（１４）にフィットした案内溝（１５）が設けられることを特徴とする請求項１に記載の高効率ホルムアルデヒド除去装置。
【考案の詳細な説明】
【技術分野】
【０００１】
本考案は、ホルムアルデヒド除去の技術分野に属し、具体的には、高効率ホルムアルデヒド除去装置に関する。
【背景技術】
【０００２】
ホルムアルデヒドは、無色で刺激性のガスであり、化学式はＨＣＨＯまたはＣＨ２Ｏであり、分子量は３０．００であり、ホルミックアルデヒドとしても知られ、無色で、人間の目、鼻などを刺激する。ガス相対密度は１．０６７（空気=１）であり、液体密度は０．８１５ｇ／ｃｍ3（-２０℃）であり、融点は-９２℃、沸点は-１９．５℃であり、水とエタノールに容易に溶解し、水溶液の濃度は最大５５％、通常は４０％であり、ホルムアルデヒド水と呼ばれ、一般にホルマリンとして知られている。
【０００３】
室内装飾後、ホルムアルデヒド除去装置を使用しているが、従来の空気浄化装置はホルムアルデヒド除去効率が低く、室内のホルムアルデヒドを迅速に除去できず、ユーザは速やかに商品化したり入居したりすることができず、ユーザが使用するのに不便であり、空気浄化器の実用性が低下する。
【考案の概要】
【０００４】
本考案の目的は、加熱によりホルムアルデヒドの揮発が促進される利点を有し、従来の空気浄化装置はホルムアルデヒド除去効率が低く、室内のホルムアルデヒドを迅速に除去できず、ユーザが速やかに商品化したり入居したりすることができないという問題を解決する高効率ホルムアルデヒド除去装置を提供することである。
【０００５】
上記の目的を達成するために、本考案は以下の解決策を提供する。空気浄化器本体を備える高効率ホルムアルデヒド除去装置であって、前記空気浄化器本体の前面および背面にそれぞれ接続プレートが設けられ、前記接続プレートの空気浄化器本体から離れた側にヒータが固定的に接続され、前記接続プレートの空気浄化器本体に近い側の頂部と底部にそれぞれ締付板が固定的に接続され、前記締付板の空気浄化器本体に近い側は空気浄化器本体の内部まで貫通し、前記空気浄化器本体の右前側および後側の頂部と底部にそれぞれボルトが設けられ、前記ボルトの左側は空気浄化器本体の内部まで貫通し、前記ボルトの左側に締付ブロックが固定的に接続される、高効率ホルムアルデヒド除去装置である。
【０００６】
好ましくは、前記ボルトの表面にガスケットが嵌設され、前記ボルトの表面にガスケット左側に位置するシールリングが嵌設され、前記シールリングの左側は空気浄化器本体の右側に固定的に接続され、前記シールリングの右側はガスケットの左側に接触する。
【０００７】
好ましくは、前記締付板の表面に締付パッドが嵌設され、前記締付パッドの空気浄化器から離れた側は接続プレートの表面に固定的に接続され、前記空気浄化器本体の前面および背面の底部にそれぞれ支持板が固定的に接続され、前記支持板の頂部は接続プレートの底部に摺動可能に接続される。
【０００８】
好ましくは、前記空気浄化器本体の右前側および後側の頂部と底部にそれぞれボルトにフィットしたねじ溝が設けられ、前記ねじ溝の内壁はボルトの表面にねじ接続される。
【０００９】
好ましくは、前記締付ブロックの左側に保護パッドが固定的に接続され、前記保護パッドの左側は締付板の右側に接触し、前記保護パッドの左側に滑り止めパターンが設けられる。
【００１０】
好ましくは、前記接続プレートの空気浄化器に近い側の頂部と底部にそれぞれガイドプレートが固定的に接続され、前記空気浄化器本体の前面および背面の頂部と底部にそれぞれガイドプレートにフィットした案内溝が設けられる。
【考案の効果】
【００１１】
従来技術と比較すると、本考案は以下の有益な効果を有する。
【００１２】
１、本考案は、空気浄化器本体、接続プレート、ヒータ、締付板、ボルト、締付ブロックを組み合わせて使用することで、従来の空気浄化装置はホルムアルデヒドの除去効率が低く、室内のホルムアルデヒドを迅速に除去できず、ユーザが速やかに商品化したり入居したりできないという問題を解決する。この高効率ホルムアルデヒド除去装置は、加熱によりホルムアルデヒドの揮発が促進される利点を有し、ユーザが使用するのに便利であり、空気浄化器の実用性を高める。
【００１３】
２、本考案は、ガスケットとシールリングの設置により、ボルトと空気浄化器本体の間の隙間を封止でき、同時にボルトの締付機能を高め、ボルト締め時の滑り現象を効果的に防止し、締付パッドと支持板の設置により、締付パッドは接続プレートが直接空気浄化器本体に接触して損傷するのを防ぎ、支持板は接続プレートの底部に接続プレートを支持でき、ユーザは支持板の頂部にプレートを摺動可能に接続して取付を容易に完了するのに便利であり、ねじ溝の設置により、ボルトと一緒に使用して締付板の位置を固定でき、保護パッドと滑り止めパターンの設置により、ボルトが直接締付板に接触してボルトが摩耗するのを防ぎ、ガイドプレートと案内溝の設置により、ユーザが接続プレートを容易に取り付けるのに便利であり、接続プレートがより強固に空気浄化器本体に接続される。
【図面の簡単な説明】
【００１４】
【図１】本考案の構造を示す概略図である。
【図２】本考案の構造を示す右側面図である。
【図３】本考案の構造を示す正面断面図である。
【図４】本考案の図２におけるＡの構造を示す拡大図である。
【図５】本考案の図３におけるＢの構造を示す拡大図である。
【考案を実施するための形態】
【００１５】
以下、本考案の実施例の図面を参照して、本考案の実施例の技術的解決策を明確かつ完全に説明するが、説明される実施例は本考案の一部の実施例に過ぎず、すべての実施例ではない。本考案の実施例に基づき、当業者が創造的な労働をせずに得られたすべての他の実施例は、本考案の保護範囲に含まれるのは言うまでもない。
【００１６】
図１〜５を参照すると、高効率ホルムアルデヒド除去装置は、空気浄化器本体１を備え、空気浄化器本体１の右前側および後側の頂部と底部にそれぞれボルト５にフィットしたねじ溝１１が設けられ、ねじ溝１１の内壁はボルト５の表面ねじに接続され、ねじ溝１１の設置により、ボルト５と一緒に使用して締付板２の位置を固定でき、空気浄化器本体１の前面および背面にそれぞれ接続プレート２が設けられ、接続プレート２の空気浄化器に近い側の頂部と底部にそれぞれガイドプレート１４が固定的に接続され、空気浄化器本体１の前面および背面の頂部と底部にそれぞれガイドプレート１４にフィットした案内溝１５が設けられ、ガイドプレート１４と案内溝１５の設置により、ユーザが接続プレート２を取り付けるのに便利であり、接続プレート２はより強固に空気浄化器本体１に接続され、接続プレート２の空気浄化器本体１から離れた側にヒータ３が固定的に接続され、接続プレート２の空気浄化器本体１に近い側の頂部と底部にそれぞれ締付板４が固定的に接続され、締付板４の表面に締付パッド９が嵌設され、締付パッド９の空気浄化器から離れた側は接続プレート２の表面に固定的に接続され、空気浄化器本体１の前面および背面の底部にそれぞれ支持板１０が固定的に接続され、支持板１０の頂部は接続プレート２の底部に摺動可能に接続され、締付パッド９と支持板１０の設置により、締付パッド９は接続プレート２が直接空気浄化器本体１に接触して損傷するのを防ぎ、支持板１０は接続プレート２の底部に接続プレート２を支持し、ユーザが支持板１０の頂部にプレート２を摺動可能に接続して取付を完了するのに便利であり、締付板４の空気浄化器本体１に近い側は空気浄化器本体１の内部まで貫通し、空気浄化器本体１の右前側および後側の頂部と底部にそれぞれボルト５が設けられ、ボルト５の表面にガスケット７が嵌設され、ボルト５の表面にガスケット７の左側に位置するシールリング８が嵌設され、シールリング８の左側は空気浄化器本体１の右側に固定的に接続され、シールリング８の右側はガスケット７の左側に接触し、ガスケット７とシールリング８の設置により、ボルト５と空気浄化器本体１の間の隙間を封止し、同時にボルト５の締付機能を高め、ボルト５締め時の滑り現象を効果的に防止し、ボルト５の左側は空気浄化器本体１の内部まで貫通し、ボルト５の左側に締付ブロック６が固定的に接続され、締付ブロック６の左側に保護パッド１２が固定的に接続され、保護パッド１２の左側は締付板４の右側に接触し、保護パッド１２の左側に滑り止めパターン１３が設けられ、保護パッド１２と滑り止めパターン１３の設置により、ボルト５が直接締付板４に接触してボルト５が摩耗する現象を防止できる。
【００１７】
使用するとき、ユーザは接続プレート２を移動して、接続プレート２に接続された締付板４を空気浄化器本体１の内部に移し、その後、ユーザはボルト５を回転させ、ボルト５はねじ溝１１とのねじ接続により締付板４に近い側に移動し、ボルト５は締付ブロック６を締付板４に近い側に押して移動させ、締付ブロック６は保護パッド１２により締付板４を押し付けて固定することで、締付板４が戻らないようにすることにより、接続プレート２とヒータ３の位置を固定し、次に、ユーザはヒータ３を始動し、ヒータ３により空気を加熱し室内のホルムアルデヒドの揮発が促進されることで、空気浄化器本体１の浄化効率を高め、空気浄化器本体１が高い効率で浄化することができる。
【００１８】
以上のように、この高効率ホルムアルデヒド除去装置は、空気浄化器本体１、接続プレート２、ヒータ３、締付板４、ボルト５、締付ブロック６を組み合わせて使用することで、従来の空気浄化装置はホルムアルデヒドの除去効率が低く、室内のホルムアルデヒドを迅速に除去できず、ユーザが速やかに商品化したり入居したりできないという問題を解決した。
【００１９】
なお、本明細書において、第１および第２などの関係用語は、あるエンティティまたは操作を別のエンティティまたは操作から区別するためにのみ使用され、これらのエンティティまたは操作の間にそのような実際の関係や秩序があることを必ずしも必要または暗示するものではないことに留意されたい。さらに、「含む」、「含む」またはその任意の他の変形は、非排他的な包含をカバーすることを意図しているので、一連の要素を含むプロセス、方法、物品、またはデバイスは、それらの要素だけでなく、このプロセス、方法、物品、または機器の他の要素、またはこれらに固有の要素も含まれる。
【００２０】
本考案の実施例を示し、説明してきたが、当業者にとって、本考案の原理および精神から逸脱することなく、これらの実施例に対して様々な変化や修正、置換や変更を行うことができるのは明らかであり、本考案の範囲は、添付の実用新案登録請求の範囲およびそれらの同等物によって定義される。
【符号の説明】
【００２１】
１      空気浄化器本体
２      接続プレート
３      ヒータ
４      締付板
５      ボルト
６      締付ブロック
７      ガスケット
８      シールリング
９      締付パッド
１０    支持板
１１    ねじ溝
１２    保護パッド
１３    滑り止めパターン
１４    ガイドプレート
１５    案内溝
【図１】
0003231843.tif 000003
【図２】
0003231843.tif 000004
【図３】
0003231843.tif 000005
【図４】
0003231843.tif 000006
【図５】
0003231843.tif 000007
【手続補正書】
【提出日】令和3年2月19日(2021.2.19)
【手続補正１】
【補正対象書類名】実用新案登録請求の範囲
【補正対象項目名】全文
【補正方法】変更
【補正の内容】
【実用新案登録請求の範囲】
【請求項１】
空気浄化器本体（１）を備える高効率ホルムアルデヒド除去装置であって、前記空気浄化器本体（１）の前面および背面にそれぞれ接続プレート（２）が設けられ、前記接続プレート（２）の空気浄化器本体（１）から離れた側にヒータ（３）が固定的に接続され、前記接続プレート（２）の空気浄化器本体（１）に近い側の頂部と底部にそれぞれ締付板（４）が固定的に接続され、前記締付板（４）の空気浄化器本体（１）に近い側は空気浄化器本体（１）の内部まで貫通し、前記空気浄化器本体（１）の一つの側面の前側および後側の頂部と底部にそれぞれボルト（５）が設けられ、前記ボルト（５）の先端は空気浄化器本体（１）の内部まで貫通し、前記ボルト（５）の先端には締付ブロック（６）が固定的に接続されることを特徴とする高効率ホルムアルデヒド除去装置。
【請求項２】
前記ボルト（５）には、ガスケット（７）とシールリング（８）が嵌設され、前記シールリング（８）は空気浄化器本体（１）の側面に固定的に接続され、且つガスケット（７）に接触することを特徴とする請求項１に記載の高効率ホルムアルデヒド除去装置。
【請求項３】
前記締付板（４）の表面に締付パッド（９）が嵌設され、前記締付パッド（９）の空気浄化器から離れた側は接続プレート（２）の表面に固定的に接続され、前記空気浄化器本体（１）の前面および背面の底部にそれぞれ支持板（１０）が固定的に接続され、前記支持板（１０）の頂部は接続プレート（２）の底部に摺動可能に接続されることを特徴とする請求項１に記載の高効率ホルムアルデヒド除去装置。
【請求項４】
前記空気浄化器本体（１）の一つの側面の前側および後側の頂部と底部にそれぞれボルト（５）にフィットしたねじ溝（１１）が設けられ、前記ねじ溝（１１）の内壁はボルト（５）の表面にねじ接続されることを特徴とする請求項１に記載の高効率ホルムアルデヒド除去装置。
【請求項５】
前記締付ブロック（６）の空気浄化器本体側に保護パッド（１２）が固定的に接続され、前記保護パッド（１２）の空気浄化器本体側は締付板（４）に接触し、前記保護パッド（１２）の空気浄化器本体側には滑り止めパターン（１３）が設けられることを特徴とする請求項１に記載の高効率ホルムアルデヒド除去装置。
【請求項６】
前記接続プレート（２）の空気浄化器に近い側の頂部と底部にそれぞれガイドプレート（１４）が固定的に接続され、前記空気浄化器本体（１）の前面および背面の頂部と底部にそれぞれガイドプレート（１４）にフィットした案内溝（１５）が設けられることを特徴とする請求項１に記載の高効率ホルムアルデヒド除去装置。